(57)【特許請求の範囲】
【請求項１】
遊技球が入賞可能な複数の入賞口が装置本体の前面側に平面階段状に設けられると共に、各入賞口に連通して該入賞口に入賞した入賞球を裏側に案内する夫々の球経路部が装置本体から後方に突出して設けられ、複数の球経路部が、遊技盤に形成した１つの取付孔に挿通された状態で該遊技盤に取付けられる入賞装置を備える遊技機であって、
前記入賞装置は、
前記装置本体の裏側に、各球経路部に連通する球通路と、装置本体側に開放すると共に平面階段状に形成されて各球通路を相互に連通する共通球通路と、該共通球通路の下流端に案内された入賞球を排出する球出口とが形成された球樋が配設され、
前記装置本体の裏面における前記共通球通路と対応する位置に、該共通球通路と対応する形状で共通球通路の中央に沿って延在する案内部が、該案内部の後端面を各球経路部の後端面と略同一位置に位置するよう後方に延出して形成されて、共通球通路を流通する入賞球の前側を案内部で位置規制するよう構成され、
前記球樋は、前記装置本体の裏側に配設された状態で前記取付孔に挿通可能な寸法に設定され、
前記遊技盤の裏面における前記入賞装置の球経路部と前後に重ならない位置に、遊技盤の裏側に位置する機構セット盤に開設された保守用の窓口より小さく設定されている裏板部材が、該窓口の内側に位置するように配設された
ことを特徴とする遊技機。
【請求項２】
前記各入賞口に入賞した入賞球を検出する球検出スイッチは、装置本体に対して前後方向にスライドして着脱するよう構成されると共に、前記球樋は、各球検出スイッチと前後に重ならない位置に配設され、球樋を装置本体から取外すことなく球検出スイッチを着脱し得るよう構成した請求項１記載の遊技機。
【請求項３】
前記入賞口に入賞した入賞球を検出する球検出スイッチに接続する配線を留める配線フックを、前記球樋に一体形成した請求項１または２記載の遊技機。
【発明の詳細な説明】
【技術分野】
【０００１】
この発明は、複数の入賞口が正面視において階段状に設けられた入賞装置を備えた遊技機に関するものである。
【背景技術】
【０００２】
パチンコ機やアレンジボール機に代表される遊技機は、その基本構成として外枠に開閉および着脱可能に組付けられる中枠の前側に、ガラス扉を組付けた前枠、上下の球皿、球送り・発射装置等が夫々設置されると共に、該中枠の裏側には、各種の球処理部等を有する機構セット盤が組付けセットされている。そして、このような基本構成において、前記中枠に遊技盤が着脱交換可能に取付けられる。また遊技盤の表面に、遊技球が入賞し得る入賞口および球検出スイッチを備えた入賞装置が配設され、入賞口から入賞した入賞球は、該入賞口に連通する球経路部を介して遊技盤裏側へ通出するよう構成してある。更に、遊技盤の裏面には、各種の中継基板等が取付けられる裏板部材が配設され、該裏板部材に、前記球経路部から通出する入賞球を下方に案内する球案内路が形成されている。
【０００３】
なお、特許文献１には、複数の入賞口を備えた入賞装置を遊技盤に配設する構成において、各入賞口に連通する球案内路を裏板部材に夫々設けると共に、該球案内路の下方に、案内された各入賞球をまとめて排出するための集合路を設ける構成が開示されている。
【特許文献１】特開２００５−３４２３２号公報
【発明の開示】
【発明が解決しようとする課題】
【０００４】
ここで、前記遊技盤に配設されたセンター役物に設けられた演出可動体等の不良による部品交換や修理に際しては、前記裏板部材を取外す必要がある。また前記部品交換や修理を、遊技盤を中枠に組付けた状態で行ないたいと云う要請から、前記機構セット盤に開設した遊技盤裏面の保守用の窓口より裏板部材を小さく設定し、該裏板部材を取外して保守用の窓口から取出し得るよう構成することで、遊技盤を中枠に組付けた状態での部品交換や修理を可能としている。
【０００５】
ところで、特許文献１に開示されているように、複数の入賞口を正面視において階段状(平面階段状)に設けた入賞装置では、各入賞口が上下・左右に離間して連なって形成されるため、入賞装置自体が大型化する。これに対して裏板部材は、前述したように大きさが保守用の窓口によって規制されているため、入賞装置を遊技盤に取付けた状態で、裏板部材から該入賞装置における一部の入賞口が外側にはみ出してしまうことがある。具体的には、例えば上・中・下の３つの入賞口を備えた３連入賞装置の場合、上部入賞口が裏板部材からはみ出してしまうが、この上部入賞口に連通する球案内路を寸法が規制されている裏板部材に形成できない問題がある。すなわち、裏板部材からはみ出した上部入賞口に対しては、別の樋部材を設ける必要がある。また、複数の球案内路で案内された各入賞球をまとめて排出する集合路を、特許文献１のように裏板部材に設けると、その分だけ裏板部材が大きくなってしまい、窓口より裏板部材を小さくする要請に応えることができなくなるおそれがある。
【０００６】
更に、複数の入賞口を備える入賞装置では、各入賞口に対応して球検出スイッチが配設されているため、入賞装置を遊技盤の取付孔に嵌挿する際に、これら複数の球検出スイッチに接続する配線が邪魔になって、作業効率が低下する問題も指摘される。
【０００７】
すなわち、本発明は、前述した従来の技術に内在している前記課題に鑑み、これを好適に解決するべく提案されたものであって、複数の入賞口からの全ての入賞球を別部材を用いることなく処理し得ると共に、取付けの作業効率を良好とし得る入賞装置を備えた遊技機を提供することを目的とする。
【課題を解決するための手段】
【０００８】
前記課題を克服し、所期の目的を達成するため、本願の請求項１に係る遊技機は、
遊技球が入賞可能な複数の入賞口(27A,27B,27C)が装置本体(35)の前面側に平面階段状に設けられると共に、各入賞口(27A,27B,27C)に連通して該入賞口(27A,27B,27C)に入賞した入賞球を裏側に案内する夫々の球経路部(37A,37B,37C)が装置本体(35)から後方に突出して設けられ、複数の球経路部(37A,37B,37C)が、遊技盤(17)に形成した１つの取付孔(38)に挿通された状態で該遊技盤(17)に取付けられる入賞装置(28)を備える遊技機であって、
前記入賞装置(28)は、
前記装置本体(35)の裏側に、各球経路部(37A,37B,37C)に連通する球通路(64A,64B,64C)と、装置本体(35)側に開放すると共に平面階段状に形成されて各球通路(64A,64B,64C)を相互に連通する共通球通路(65)と、該共通球通路(65)の下流端に案内された入賞球を排出する球出口(65a)とが形成された球樋(44)が配設され、
前記装置本体(35)の裏面における前記共通球通路(65)と対応する位置に、該共通球通路(65)と対応する形状で共通球通路(65)の中央に沿って延在する案内部(48)が、該案内部(48)の後端面を各球経路部(37A,37B,37C)の後端面と略同一位置に位置するよう後方に延出して形成されて、共通球通路(65)を流通する入賞球の前側を案内部(48)で位置規制するよう構成され、
前記球樋(44)は、前記装置本体(35)の裏側に配設された状態で前記取付孔(38)に挿通可能な寸法に設定され、
前記遊技盤(17)の裏面における前記入賞装置(28)の球経路部(37A,37B,37C)と前後に重ならない位置に、遊技盤(17)の裏側に位置する機構セット盤(16)に開設された保守用の窓口(16a)より小さく設定されている裏板部材(29)が、該窓口(16a)の内側に位置するように配設されたことを特徴とする。
請求項１に係る発明では、装置本体に球樋を配設したから、遊技盤の裏面に配設される裏板部材に球案内路を設けることなく球経路部から通出される入賞球を下方に案内することができる。また、球樋は全ての入賞口に連通するよう構成したから、複数の入賞口に入賞した入賞球をまとめて排出することができる。すなわち、複数の入賞口から入賞した全ての入賞球を入賞装置自体で処理し得るので、球案内路および集合路を裏板部材に設ける必要はなく、裏板部材をコンパクト化し得る。更に、装置本体に球樋を配設した状態で、該球樋を取付孔に挿通して装置本体を遊技盤に配設することができ、取付け作業が更に容易となる。
更にまた、装置本体の裏面に形成した案内部の後端面を、各球経路部の後端面と略同一位置に位置させたので、各球経路部から通出される入賞球を共通球通路に沿って円滑に流通させると共に、各球経路部間に画成される隙間への入賞球の落ち込みを防止することができる。
また遊技盤から取外した裏板部材を、機構セット盤の窓口から取出すことができると共に、裏板部材の寸法とは関係なく左右および上下方向の寸法が大きな入賞装置を採用することができる。
【０００９】
請求項２に係る遊技機は、前記各入賞口(27A,27B,27C)に入賞した入賞球を検出する球検出スイッチ(42A,42B,42C)は、装置本体(35)に対して前後方向にスライドして着脱するよう構成されると共に、前記球樋(44)は、各球検出スイッチ(42A,42B,42C)と前後に重ならない位置に配設され、球樋(44)を装置本体(35)から取外すことなく球検出スイッチ(42A,42B,42C)を着脱し得るよう構成した。
請求項２に係る発明では、球樋を装置本体から取外すことなく球検出スイッチを着脱することができ、該スイッチの故障等に伴う交換作業が簡単となる。
【００１０】
請求項３に係る遊技機は、前記入賞口(27A,27B,27C)に入賞した入賞球を検出する球検出スイッチ(42A,42B,42C)に接続する配線(55A,55B,55C)を留める配線フック(53,54,56,57)を、前記球樋(44)に一体形成した。
請求項３に係る発明では、球樋に配線フックを一体形成したから、各球検出スイッチから導出する配線を該配線フックに留めて纏めた状態で取扱うことができ、入賞装置を遊技盤の取付孔に嵌挿する際の作業性が良好となる。
【発明の効果】
【００１１】
本発明に係る遊技機によれば、入賞球を処理する球樋を入賞装置の装置本体に配設したから、遊技盤に配設される裏板部材等の別部材に球案内路を設けて大型化させることなく入賞装置自体で入賞球を処理し得ると共に、遊技盤への取付けの作業性が良好となる。
【発明を実施するための最良の形態】
【００１２】
次に、本発明に係る遊技機につき、好適な実施例を挙げて、添付図面を参照しながら以下詳細に説明する。なお、実施例では、入賞装置が取付けられる遊技機としてパチンコ機を挙げて説明するが、本発明はアレンジボール機やパチンコ式スロットマシン機等、その他の遊技機にも好適に実施可能である。また「前・後」とは、特に断わりのない限り、遊技盤を図１に示す正面側(前側)から見た状態で指称するものとする。
【実施例】
【００１３】
先ず実施例に係るパチンコ機の概略構成について、図２を参照して説明する。実施例のパチンコ機１０は、外枠１１の開口前面側に対して中枠１２が着脱および開放可能に組付けられている。中枠１２の前側には、横開き式のガラス扉を組付けた前枠、このガラス扉の下部に開放可能に取着した開閉板の前側にセットした上球皿および裏側にセットされた電動式の球送り装置、下段に位置する下球皿および打球発射装置(何れも図示せず)等が夫々設置されていると共に、該中枠１２の裏側には、球貯留部１３、球排出経路部１４、球払出装置１５等の各処理部を備えた機構セット盤１６が着脱可能にセットされる。
【００１４】
前記機構セット盤１６は、中枠１２に設けられて裏側に位置する遊技盤セット用の保持枠１２ａの裏側に着脱可能に装備され、該保持枠１２ａに対応し得る方形サイズに樹脂成形された本体の略中央部に、遊技盤裏面の点検用の窓口１６ａが開口されている。この機構セット盤１６に対し、球タンク等からなる前記球貯留部１３は、図２に示すように窓口１６ａの上部に配設され、また球貯留部１３に連通する前記球排出経路部１４および球払出装置１５は、窓口１６ａの右側部に配設されている。
【００１５】
前記中枠１２には、所要の遊技領域１７ａを構成した遊技盤１７が、前記保持枠１２ａに対して前側から着脱交換可能に取付けられている。なお、実施例では、図７に示す如く、遊技盤１７の一側部(右側部)が、前記球排出経路部１４と前後に重なるように設定されて、左右方向の寸法が大きな遊技盤１７が用いられる。遊技盤１７には、図１に示す如く、盤面に配設した略円形状のレール１８の内部に前記遊技領域１７ａが画成され、該遊技領域１７ａの縦央やや下部には、パチンコ球(遊技球)をスイッチで検出し得る始動入賞具１９が配設されると共に、該始動入賞具１９の直下方には大型電動式の特別入賞装置２０が配設されている。また遊技盤１７には、始動入賞具１９の直上方(遊技盤１７の略中央位置)に開口部１７ｂが開設され(図４参照)、遊技盤１７を装飾する大型の枠状に形成された装飾部材２１が、該開口部１７ｂに前側から挿通されて取付けられる。
【００１６】
前記装飾部材２１の略中央位置に、略矩形状に開口部２１ａが開設され、複数の図柄を可変表示して遊技演出を行なう図柄表示装置２２の表示部２２ａが、該開口部２１ａを介して前側に臨むようになっている。また、前記遊技盤１７の裏側には、図柄表示装置２２を配設するための後述する裏板部材２９が配設される。なお、前記特別入賞装置２０は、図柄表示装置２２の大当り成立時における特別遊技として開成作動条件が付与される大型の入賞装置であって、図１に示されるように、特別入賞具２３に対設された扉状の開閉板２４が、後側の電磁ソレノイド(図示せず)に係る設定駆動条件に基づいて、通常の閉鎖状態から開放状態に変化される。
【００１７】
図１に示す如く、前記遊技盤１７の左側部には、前記図柄表示装置２２における遊技演出に合わせて発光体を点灯または消灯して遊技演出を行なう電飾装置２５が配設されている。また遊技盤１７には、前記特別入賞装置２０の右側に、１つの入賞口２６ａを有する普通入賞具２６が配設されると共に、特別入賞装置２０の左側(遊技盤１７の側部側)に、複数(実施例では３つ)の入賞口２７Ａ,２７Ｂ,２７Ｃを有する実施例の入賞装置としての３連入賞装置２８が着脱自在に取付けられている。
【００１８】
前記遊技盤１７の裏側に取付けた前記裏板部材２９は、球寄せカバーまたは集合樋とも呼ばれ、図４において遊技盤１７の左側(球排出経路部１４から離間する側)に偏った位置にネジで着脱自在に取付けられており、該裏板部材２９は、前記機構セット盤１６における窓口１６ａの内側に臨むように寸法設定されている。すなわち、裏板部材２９は、図７に示すように窓口１６ａの開口寸法より小さく設定され、遊技盤１７を中枠１２に取付けた状態のまま、裏板部材２９を遊技盤１７から取外して窓口１６ａを介して取出し得るよう構成してある。
【００１９】
前記裏板部材２９は、上方に開放する略コ字状に形成されて、前記装飾部材２１に形成した開口部２１ａと前後に整列する位置に、該開口部２１ａに略整合する開口部２９ａが開設してある。そして、開口部２９ａに後方から前記表示部２２ａを整合させた状態で、裏板部材２９における開口部２９ａを挟む両側に設けられた設置部２９ｃ,２９ｃに、前記図柄表示装置２２が着脱可能に配設される。一方、裏板部材２９における開口部２９ａより下部には、図示しない各種の制御基板が配設可能な基板設置部２９ｂが複数形成されている。
【００２０】
前記裏板部材２９における前記開口部２９ａを挟む一側に、前側に開口する裏カバー部材(図示せず)を回動可能に軸支する一対の軸部３０,３０が上下に離間して形成されると共に、他側には裏カバー部材を係止する係止部３１,３１が設けられており、裏カバー部材を係止部３１,３１に係止することで、前記図柄表示装置２２の後側を裏カバー部材で被覆するよう構成される。また、裏板部材２９の下部における前記普通入賞具２６と対応する位置に、該入賞具２６に入賞した入賞球を受入れて下方に流通案内する球案内路３２が、前方(遊技盤側)および上下方向に開放するよう形成されている。
【００２１】
前記３連入賞装置２８は、図５および図６に示す如く、薄板状に形成された装置本体３５の前面側に装飾体３６が配設され、該装飾体３６と装置本体３５との間に、パチンコ球が入賞可能な３つの入賞口２７Ａ,２７Ｂ,２７Ｃが、正面視において階段状(平面階段状)となるように上下および左右方向に離間して設けられている。装置本体３５の裏面側には、上、中、下の各入賞口２７Ａ,２７Ｂ,２７Ｃに入賞した入賞球を、裏側に案内する球経路部３７Ａ,３７Ｂ,３７Ｃが対応して一体成形されている。これら球経路部３７Ａ,３７Ｂ,３７Ｃは後方に所定長さで突出し、これら球経路部３７Ａ,３７Ｂ,３７Ｃを、前記遊技盤１７の遊技領域１７ａに開設した１つの取付孔３８(図３参照)に前側から挿入した状態で、装置本体３５を前面側から遊技盤１７にビス止めすることで、３連入賞装置２８が遊技盤１７に取付けられるよう構成される。すなわち、遊技盤１７の取付孔３８は、装置本体３５により被覆されると共に、該装置本体３５の前面は、遊技盤１７の盤面と略同一面となるよう構成されている。
【００２２】
なお、遊技盤１７の取付孔３８は、図３に示すように、入賞口２７Ａ,２７Ｂ,２７Ｃに対して装置本体３５に階段状に形成される球経路部３７Ａ,３７Ｂ,３７Ｃを同時に収容し得るように略階段状に形成されている。そして、該取付孔３８に挿入された上球経路部３７Ａ、中球経路部３７Ｂおよび下球経路部３７Ｃは、図４に示す如く、裏板部材２９に対して前後に重ならない外側に位置し、当該各球経路部３７Ａ,３７Ｂ,３７Ｃから裏側に通出する入賞球は、後述する球樋４４を介して下方に案内されるよう構成してある。
【００２３】
前記上球経路部３７Ａは、対応する上入賞口２７Ａに連通する上方に開放するＵ字状に形成されると共に、その左右両外側にボス部３９,４０が形成されている。図５において右側の第１ボス部３９には、後方に突出するピン３９ａが突設され、該ピン３９ａを球樋４４に対応して設けた位置決凹部４５ａに嵌挿することで、装置本体３５に対する球樋４４の位置決めを行ない得るようにしてある。また左側の第２ボス部４０には、後方に開放するネジ孔が螺設され、該ネジ孔を介して球樋４４をネジ止め固定するよう構成される。更に、中球経路部３７Ｂの下方位置に第３ボス部６３が突設され、該第３ボス部６３に螺設された後方に開放するネジ孔を介しても球樋４４がネジ止め固定されるようになっている。
【００２４】
前記装置本体３５における上球経路部３７Ａの形成位置より上側に、前後方向に貫通する上装着孔４１Ａが穿設され、該上装着孔４１Ａを介して上球検出スイッチ４２Ａが前後方向にスライドして着脱し得るようになっている。すなわち、上装着孔４１Ａに上球検出スイッチ４２Ａを装着することで、上入賞口２７Ａに入賞した入賞球を該上球検出スイッチ４２Ａで検出し得るよう構成される。また上装着孔４１Ａの上側に臨む装置本体３５に、上球検出スイッチ４２Ａの後端に係脱自在に係合して、上装着孔４１Ａに挿入された上球検出スイッチ４２Ａを位置決め保持する上フック４３Ａが形成されている。この上フック４３Ａは弾性変形可能で、上球検出スイッチ４２Ａとの係合を解除することで、該上球検出スイッチ４２Ａの後方への抜き外しを許容し得るよう構成される。
【００２５】
ここで、前記装置本体３５に形成された中球経路部３７Ｂに対して形成または装着される中装着孔４１Ｂ,中球検出スイッチ４２Ｂ,中フック４３Ｂおよび下球経路部３７Ｃに対して形成または装着される下装着孔４１Ｃ,下球検出スイッチ４２Ｃ,下フック４３Ｃの構成は、基本的には前述した上球経路部３７Ａに対して形成または装着される上装着孔４１Ａ,上球検出スイッチ４２Ａ,上フック４３Ａと同一であるので、その詳細説明は省略する。但し、中球経路部３７Ｂおよび下球経路部３７Ｃの左右両外側には、球樋用のボス部は形成されていない。
【００２６】
前記３つの球経路部３７Ａ,３７Ｂ,３７Ｃが設けられた装置本体３５の裏側に、全ての球経路部３７Ａ,３７Ｂ,３７Ｃに連通する球樋４４が着脱自在に配設されている。図５に示す如く、球樋４４における上部側の右外側に第１延出部４５が形成され、該延出部４５に位置決め凹部４５ａが形成されている。そして、該位置決め凹部４５ａに、前記対応する第１ボス部３９のピン３９ａを嵌挿することで、装置本体３５に対して球樋４４が位置決めされるようになっている。また、球樋４４における上部側の左外側に第２延出部４６が形成されると共に、該球樋４４における中球経路部３７Ｂの下方に臨む部位に第３延出部６２が形成され、各延出部４６,６２に前後方向に貫通する通孔が夫々穿設されており、各通孔に後方から挿通したネジ４７を、前記対応する第２ボス部４０のネジ孔および第３ボス部６３のネジ孔に夫々螺挿することで球樋４４が装置本体３５に固定される。
【００２７】
前記球樋４４には、前側に開放して上球経路部３７Ａに連通する上球通路６４Ａ、前側に開放して中球経路部３７Ｂに連通する中球通路６４Ｂおよび前側に開放して下球経路部３７Ｃに連通する下球通路６４Ｃが、前側に開放すると共に平面階段状に形成された共通球通路６５に相互に連通するよう形成されている。そして、上球経路部３７Ａから通出する入賞球を上球通路６４Ａを介して共通球通路６５に案内し、中球経路部３７Ｂから通出する入賞球を中球通路６４Ｂを介して共通球通路６５に案内し、下球経路部３７Ｃから通出する入賞球を下球通路６４Ｃを介して共通球通路６５に案内するよう構成される。なお、共通球通路６５における下流端の球出口６５ａは、前記下球経路部３７Ｃの略真下に位置し、全ての球経路部３７Ａ,３７Ｂ,３７Ｃから通出する入賞球を、１箇所の球出口６５ａから下方に放出するよう構成される。
【００２８】
前記装置本体３５の裏面には、球樋４４における共通球通路６５と対応する位置および形状で案内部４８が後方に延出するよう形成され、各球経路部３７Ａ,３７Ｂ,３７Ｃから通出した入賞球は、案内部４８で前側が規制されつつ共通球通路６５を流通するよう構成される。なお、案内部４８の後端面は、各球経路部３７Ａ,３７Ｂ,３７Ｃの後端面と略同一レベルに位置し、各球経路部３７Ａ,３７Ｂ,３７Ｃから通出される入賞球を共通球通路６５に沿って円滑に流通させると共に、各球経路部３７Ａ,３７Ｂ,３７Ｃ間に画成される隙間への入賞球の落ち込みを防止するべく機能している。ちなみに、上、中、下の各球経路部３７Ａ,３７Ｂ,３７Ｃの後端面は、３連入賞装置２８を遊技盤１７に取付けた状態で、該遊技盤１７の裏面と同一レベルに位置するよう構成されている。
【００２９】
また前記球樋４４は、前記上、中、下の各球検出スイッチ４２Ａ,４２Ｂ,４２Ｃと前後に重ならない位置に配設されており、球樋４４を装置本体３５から取外すことなく各球検出スイッチ４２Ａ,４２Ｂ,４２Ｃを着脱し得るよう構成してある。更に、球樋４４は、装置本体３５の裏側に配設された状態で、前記取付孔３８に挿通可能な寸法に設定され、装置本体３５に球樋４４を配設した状態で、前記球経路部３７Ａ,３７Ｂ,３７Ｃを取付孔３８に前側から挿入して遊技盤１７に取付け得るようになっている。
【００３０】
前記球樋４４には、前記各球検出スイッチ４２Ａ,４２Ｂ,４２Ｃに対応して、該球検出スイッチ４２Ａ,４２Ｂ,４２Ｃに接続する配線５５Ａ,５５Ｂ,５５Ｃを留める配線フック５３,５４,５６,６７が複数形成されている。実施例では、図５に示す如く、前記球樋４４における第１延出部４５の上方に第１配線フック５３が形成されると共に、中球経路部３７Ｂの近傍の裏面に第２配線フック５４が形成されている。そして、上球検出スイッチ４２Ａの接続部４２ａにコネクタ５５ａを介して接続する上配線５５Ａは、第１配線フック５３および第２配線フック５４に留められる状態で、球樋４４の外表面に沿って引き回されている。また、球樋４４における上球経路部３７Ａと中球経路部３７Ｂとの間に臨む左外側に第３配線フック５６が形成され、中球検出スイッチ４２Ｂの接続部４２ｂにコネクタ５５ｂを介して接続する中配線５５Ｂは、第３配線フック５６に留められる状態で、球樋４４の外表面に沿って引き回されて、前記上配線５５Ａに結束具５７を介して結束されている。更に、球樋４４における下球経路部３７Ｃの近傍の裏面に、第４配線フック６７が形成され、下球検出スイッチ４２Ｃの接続部４２ｃにコネクタ５５ｃを介して接続する下配線５５Ｃは、第４配線フック６７に留められるようにして、球樋４４の外表面に沿って引き回されて、前記上配線５５Ａおよび中配線５５Ｂに前記結束具５７を介して結束されている。すなわち、各球検出スイッチ４２Ａ,４２Ｂ,４２Ｃから導出する各配線５５Ａ,５５Ｂ,５５Ｃが球樋４４の外表面から外方に大きく延出しないよう構成される。
【００３１】
〔実施例の作用〕
次に、前述した構成に係る実施例の３連入賞装置の作用につき説明する。
先ず、前記３連入賞装置２８の組立てについて説明すると、前記装置本体３５の裏側に、球樋４４をネジ止め固定すると共に、各装着孔４１Ａ,４１Ｂ,４１Ｃに対応する各球検出スイッチ４２Ａ,４２Ｂ,４２Ｃを後方から夫々挿入して各フック４３Ａ,４３Ｂ,４３Ｃで位置決め保持する。また、上球検出スイッチ４２Ａに接続する上配線５５Ａを、第１配線フック５３および第２配線フック５４に留めるように球樋４４の外表面に沿って引き回す。また中球検出スイッチ４２Ｂに接続する中配線５５Ｂを、第３配線フック５６に留めるように球樋４４の外表面に沿って引き回す。更に、下球検出スイッチ４２Ｃに接続する下配線５５Ｃを、第４配線フック６７に留めるように球樋４４の外表面に沿って引き回す。そして、上、中、下の配線５５Ａ,５５Ｂ,５５Ｃを、第２配線フック５４の近傍において結束具５７で結束することで１つに纏める。
【００３２】
前記装置本体３５に球樋４４を配設した３連入賞装置２８は、前記全ての球経路部３７Ａ,３７Ｂ,３７Ｃを前記遊技盤１７の取付孔３８に前側から挿入し、装置本体３５の裏面を遊技盤１７の前面に当接した状態でビス止めすることで遊技盤１７に固定される。すなわち、球樋４４は、装置本体３５に配設した状態で取付孔３８に挿入可能な寸法に設定されているから、装置本体３５を遊技盤１７に取付けた後に、該球樋４４を装置本体３５の裏側に配設する作業は必要なく、取付け作業が簡略化される。
【００３３】
また、前記３連入賞装置２８の取付けに際しては、前記取付孔３８に球経路部３７Ａ,３７Ｂ,３７Ｃを挿入するのに先立って、前記配線５５Ａ,５５Ｂ,５５Ｃを取付孔３８に挿通する必要がある。この場合に、前述したように複数の配線５５Ａ,５５Ｂ,５５Ｃは１つに纏められているから、該配線５５Ａ,５５Ｂ,５５Ｃを取付孔３８に容易に挿通し得る。しかも、上、中、下の各配線５５Ａ,５５Ｂ,５５Ｃは球樋４４の外表面に沿って延在するよう第１〜４配線フック５３,５４,５６,６７で留められて、各配線５５Ａ,５５Ｂ,５５Ｃが球樋４４の外方に大きく延出しないようにしてあるから、該配線５５Ａ,５５Ｂ,５５Ｃが取付孔３８の縁部等に引掛かって取付け作業が阻害されるのは抑制される。なお、３連入賞装置２８の取付け作業に際し、各配線５５Ａ,５５Ｂ,５５Ｃを引張ったとしても、各球検出スイッチ４２Ａ,４２Ｂ,４２Ｃの接続部４２ａ,４２ｃ,４２ｃから、対応する各配線５５Ａ,５５Ｂ,５５Ｃのコネクタ５５ａ,５５ｂ,５５ｃが外れるのは防止される。
【００３４】
パチンコ機１０の遊技に際し、前記遊技領域１７ａに打出されたパチンコ球は、遊技盤１７に立設された多数の遊技クギや風車等に接触して落下方向を変更しながら流下し、３連入賞装置２８における上、中、下の入賞口２７Ａ,２７Ｂ,２７Ｃに入賞する。上入賞口２７Ａに入賞した入賞球は、上球経路部３７Ａにより裏側に案内され、前記球樋４４の共通球通路６５と案内部４８とにより案内されて前記球出口６５ａから下方に通出する。また、中入賞口２７Ｂまたは下入賞口２７Ｃに入賞した入賞球についても、中球経路部３７Ｂまたは下球経路部３７Ｃにより裏側に案内され、球樋４４の共通球通路６５と案内部４８とにより案内されて前記球出口６５ａから下方に通出する。
【００３５】
このように実施例の３連入賞装置２８では、全ての球経路部３７Ａ,３７Ｂ,３７Ｃから通出する入賞球を下方に案内するための球樋４４を装置本体３５に配設したから、前記裏板部材２９には３連入賞装置２８のための球案内路や集合路等を形成する必要はなく、該入賞装置２８自体で全ての入賞球を処理でき、かつ構成を簡略化し得ると共に大型化を抑制することができる。また３連入賞装置２８は、前記窓口１６ａの開口寸法で大きさが規制される裏板部材２９とは関係なく、左右および上下寸法の大きなものを採用することができ、設計の自由度が高まる。しかも、球樋４４からは、１箇所の球出口６５ａから入賞球を放出するよう構成してあるから、該入賞球を受容するための後処理に関する構成を簡略化し得る利点もある。
【００３６】
なお、前記装置本体３５の裏側に配設した球樋４４は、各球検出スイッチ４２Ａ,４２Ｂ,４２Ｃの後側に重ならないよう位置決めされているから、該球検出スイッチ４２Ａ,４２Ｂ,４２Ｃの故障等に伴う交換に際しては、球樋４４を装置本体３５から取外す必要はなく、作業が容易となる。
【００３７】
また、前記裏板部材２９は、機構セット盤１６の窓口１６ａの開口寸法より小さく設定されているから、図柄表示装置２２に設けられた演出可動体等の不良による部品交換や修理に際しては、遊技盤１７を中枠１２に組付けたまま、該遊技盤１７から裏板部材２９を取外して窓口１６ａから取出すことで対応し得る。
【００３８】
〔変更例〕
本願は前述した実施例の構成に限定されるものでなく、その他の構成を適宜に採用することができる。
１. 実施例では、入賞装置として３つの入賞口を設けた場合で説明したが、入賞口の数は２つ以上であればよい。
２. 球樋に形成される配線フックの形成位置は、各配線が外方に大きく延出することなく効果的に留めることができる位置であれば任意に設定可能である。
【図面の簡単な説明】
【００４０】
【図１】本発明の実施例に係る３連入賞装置を取付けた遊技盤を示す正面図である。
【図２】実施例に係る３連入賞装置が採用されるパチンコ機を示す背面図である。
【図３】実施例に係る３連入賞装置を取外した状態での遊技盤を示す正面図である。
【図４】実施例に係る遊技盤を示す背面図である。
【図５】実施例に係る３連入賞装置を示す背面図である。
【図６】実施例に係る３連入賞装置を示す側面図である。
【図７】実施例に係るパチンコ機を、遊技盤を取付けた状態で示す背面図である。
【符号の説明】
【００４１】
１６ 機構セット盤，１６ａ 窓口，１７ 遊技盤，２７Ａ 上入賞口(入賞口)
２７Ｂ 中入賞口(入賞口)，２７Ｃ 下入賞口(入賞口)
２８ ３連入賞装置(入賞装置)，２９ 裏板部材，３５ 装置本体
３７Ａ 上球経路部(球経路部)，３７Ｂ 中球経路部(球経路部)
３７Ｃ 下球経路部(球経路部)，３８ 取付孔
４２Ａ 上球検出スイッチ(球検出スイッチ)
４２Ｂ 中球検出スイッチ(球検出スイッチ)
４２Ｃ 下球検出スイッチ(球検出スイッチ)，４４ 球樋，４８ 案内部
５３ 第１配線フック(配線フック)，５４ 第２配線フック(配線フック)
５５Ａ 上配線(配線)，５５Ｂ 中配線(配線)，５５Ｃ 下配線(配線)
５６ 第３配線フック(配線フック)，６４Ａ 上球通路(球通路)
６４Ｂ 中球通路(球通路)，６４Ｃ 下球通路(球通路)，６５ 共通球通路
６５ａ 球出口，６７ 第４配線フック(配線フック)
【図１】
0004728853.tif 000002
【図２】
0004728853.tif 000003
【図３】
0004728853.tif 000004
【図４】
0004728853.tif 000005
【図５】
0004728853.tif 000006
【図６】
0004728853.tif 000007
【図７】
0004728853.tif 000008